(57)【要約】【課題】生物由来成分のコンタミネーションを防ぐことができ、また、多数本のピペットに繰り返し使用することができるピペット用フィルタを提供する。【解決手段】ピペッターの先端部と、ピペットの上端側開口部との間に装着して用いられるピペット用フィルタであって、非生物由来の多孔体により形成された滅菌フィルタ体が内部に充填された収容体と、前記ピペッターの前記先端部に装着する部位であるピペッター装着部と、前記ピペットの前記上端側開口部に装着する部位であるピペット装着部とを備え、前記ピペッターおよび前記ピペットに対して着脱可能である、ピペット用フィルタ。【選択図】図１
2020131092.tif 000002
【特許請求の範囲】
【請求項１】
ピペッターの先端部と、ピペットの上端側開口部との間に装着して用いられるピペット用フィルタであって、
非生物由来の多孔体により形成された滅菌フィルタ体が内部に充填された収容体と、前記ピペッターの前記先端部に装着する部位であるピペッター装着部と、前記ピペットの前記上端側開口部に装着する部位であるピペット装着部とを備え、
前記ピペッターおよび前記ピペットに対して着脱可能である、
ピペット用フィルタ。
【請求項２】
前記ピペッター装着部の形状が、前記先端部と嵌合する形状であり、且つ、前記ピペット装着部の形状が、前記上端側開口部と嵌合する形状である、請求項１に記載のピペット用フィルタ。
【請求項３】
前記ピペッター装着部を備える側に、前記ピペッターの前記先端部と前記ピペット用フィルタとを掛止する掛止部を有する、請求項１または２に記載のピペット用フィルタ。
【請求項４】
前記多孔体が、焼結金属、セラミック、多孔質ガラスから選ばれる１以上である、請求項１〜３のいずれか１項に記載のピペット用フィルタ。
【請求項５】
請求項１〜４のいずれか１項に記載のピペット用フィルタが前記ピペッターの前記先端部に装着されている、フィルタ付ピペッター。
【請求項６】
請求項１〜４のいずれか１項に記載のピペット用フィルタが前記ピペッターおよび前記ピペットに装着されている、ピペッティングセット。
【請求項７】
前記ピペットが、フィルターレスガラスピペットである、請求項６に記載のピペッティングセット。
【発明の詳細な説明】
【技術分野】
【０００１】
本発明は、ピペッターとピペットとの間に装着して用いられるピペット用フィルタに関する。
【背景技術】
【０００２】
医療分野やバイオテクノロジー等の試験研究分野などにおいて、薬液などの液体について容量計量および分注を行うために、ガラスピペットやピペットチップが使用される場合がある。そして、これらのピペットは、ピペッターと呼ばれる吸入および吐出を行う器具や装置に装着されて使用される。
【０００３】
ここで、ガラスピペットでは、通常、液体の誤吸入によるピペッターの破損を防ぎ、且つ、ピペッターの先端部に付着している雑菌やゴミがピペットに吸入された液体中に混入するのを防ぐために、その上端側開口部の内側に綿などによって形成された滅菌フィルタ体を備える。
【０００４】
また、主に微量（例えば１ｍＬ未満）の液体について容量計量および分注を行う場合に用いるピペットチップにおいては、上記のような滅菌フィルタ体を内部に備えないものが一般的であるが、例えば特許文献１に開示されるように、その上端側開口部の内側に焼結した高分子量ポリエチレンなどからなるフィルタ体を備えるピペットチップなども知られている。
【先行技術文献】
【特許文献】
【０００５】
【特許文献１】特開２０１２−０７１３０６号公報
【発明の概要】
【発明が解決しようとする課題】
【０００６】
しかしながら、医療分野やバイオテクノロジー等の試験研究分野などにおいては、ピペッターは洗浄や再滅菌をすることなく繰り返し使用されるが、滅菌ピペットは、次に容量計量を行う液体が汚染されることなどを防ぐために、繰り返し使用されない（１回限りの使用である）のが通常であり、特にピペットチップはディスポーザブル（使い捨て）であるのが通常である。このような１回限りの使用となるピペットやディスポーザブルピペットであると、ピペットの上端側開口部の内側に備わる滅菌フィルタ体も、必然的に洗浄および再滅菌が必要となったり使い捨てとなったりするため、コスト面において課題がある。このコスト面における課題は、焼結フィルタ体などの高価な滅菌フィルタ体を備える場合において特に顕著である。
【０００７】
また、再生医療分野などにおいては、綿などの生物由来成分を用いて作製された滅菌フィルタ体を使用した場合、この滅菌フィルタ体から繊維片などが脱落すると生物由来成分のコンタミネーションが発生してしまい、このコンタミネーションが大きな問題となるという課題もある。
【０００８】
本発明は、上記課題に鑑みてなされたものであり、生物由来成分のコンタミネーションを防ぐことができ、また、多数本のピペットに繰り返し使用することができるピペット用フィルタを提供することを目的とする。
【課題を解決するための手段】
【０００９】
本発明に係るピペット用フィルタは、ピペッターの先端部と、ピペットの上端側開口部との間に装着して用いられるピペット用フィルタであって、非生物由来の多孔体により形成された滅菌フィルタ体が内部に充填された収容体と、ピペッターの先端部に装着する部位であるピペッター装着部と、ピペットの上端側開口部に装着する部位であるピペット装着部とを備え、ピペッターおよびピペットに対して着脱可能であることを特徴とする。
【発明の効果】
【００１０】
本発明に係るピペット用フィルタは、収容体の内部に充填された滅菌フィルタ体が非生物由来の多孔体により形成されているため、ピペットに吸入された液体への生物由来成分のコンタミネーションを防ぐことができる。また、ピペッターおよびピペットのいずれとも着脱可能であるため、容易に多数本のピペットに繰り返し使用することができる。
【図面の簡単な説明】
【００１１】
【図１】本実施形態に係るピペット用フィルタと、そのピペッター装着部を備える側にゴム製ピペッターと、そのピペット装着部を備える側にガラスピペットとを配置した正面図である。
【図２】図１に示す本実施形態に係るピペット用フィルタに、図１に示すゴム製ピペッターおよびガラスピペットを装着した後における、ピペット用フィルタ付近の拡大図である。
【図３】本実施形態に係るピペット用フィルタと、そのピペッター装着部を備える側にメカニカルピペッターと、そのピペット装着部を備える側にピペットチップとを配置した正面図である。
【図４】本実施形態に係るピペット用フィルタに、ゴム製ピペッターおよびガラスピペットを装着し、さらに、ピペット用フィルタの掛止部により、ピペット用フィルタとゴム製ピペッターとを掛止した後における、ピペット用フィルタ付近の拡大図である。
【図５】本実施形態に係るピペット用フィルタに、メカニカルピペッターおよびピペットチップを装着し、さらに、ピペット用フィルタの掛止部により、ピペット用フィルタとメカニカルピペッターとを掛止した後における、ピペット用フィルタ付近の拡大図である。
【発明を実施するための形態】
【００１２】
以下、本発明に係るピペット用フィルタ等の実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。なお、いずれの図面についても、便宜上、符号を付していない（省略している）箇所がある。
【００１３】
＜概要＞
まず、本実施形態に係るピペット用フィルタの概要について、図１から図５の符号を参照して説明する。なお、図１および図３は本実施形態に係るピペット用フィルタと、このピペット用フィルタに装着するピペッターおよびピペットを示す正面図であり、図２、図４および図５は、本実施形態に係るピペット用フィルタにピペッターおよびピペットを装着した状態を示す拡大図である。
【００１４】
本実施形態に係るピペット用フィルタ１は、ピペッター３の先端部３１と、ピペット５の上端側開口部５１との間に装着して用いられるピペット用フィルタ１であって、非生物由来の多孔体により形成された滅菌フィルタ体１２が内部に充填された収容体１１と、ピペッター３の先端部３１に装着する部位であるピペッター装着部１５と、ピペット５の上端側開口部５１に装着する部位であるピペット装着部１７とを備え、ピペッター３およびピペット５に対して着脱可能である。
つまり、本実施形態に係るピペット用フィルタ１は、複数のピペット５に着脱して繰り返し使用することが可能なピペット用のフィルタである。
【００１５】
ここで、本実施形態におけるピペッター３の先端部３１とは、ピペッター３において、人の手などによって吸入および吐出操作を行う部位（例えば、ゴム材料を用いて作製されたゴム製ピペッターであればゴム球部および排気バルブ部、メカニカルピペッターであればプッシュボタン部）と対向する先端側の部位を意味する。つまり、本実施形態におけるピペッター３の先端部３１には、ピペッター３の末端だけでなく、ピペット用フィルタ１を装着する部位およびその近傍も包含される。
【００１６】
また、本実施形態におけるピペット５の上端側開口部５１とは、ピペット５において、容量計量および分注を行う液体が直接接触する下端側に設けられた開口部位（下端側開口部）と対向する側、つまり上端側に設けられた開口部位を意味する。したがって、本実施形態におけるピペット５の上端側開口部５１には、その上端側の開口だけでなく、ピペット用フィルタ１を装着する部位およびその近傍も包含される。
【００１７】
＜全体構成について＞
本実施形態に係るピペット用フィルタ等の全体構成について、図１から図５を参照して説明する。
【００１８】
本実施形態に係るピペット用フィルタ１は、図１から図５に示すように、非生物由来の多孔体により形成された滅菌フィルタ体１２が内部に充填された収容体１１と、ピペッター３の先端部３１に装着する部位であるピペッター装着部１５と、ピペット５の上端側開口部５１に装着する部位であるピペット装着部１７とを備え、ピペッター３およびピペット５に対して着脱可能となっている。なお、図１および図３においては、収容体１１の内部に充填されている滅菌フィルタ体１２を点線により模式的に示しており、図２、図４および図５においては、滅菌フィルタ体１２の表示は省略している。
そして、このピペット用フィルタ１は、図２、図４および図５に示すように、ピペッター３の先端部３１とピペット５の上端側開口部５１との間に装着することにより、ピペッター３とピペット５とを連通関係とすることができ、ピペッター３による吸入によってピペット５の内部に液体を吸引する作用、および、ピペッター３による吐出によってピペット５の内部から液体を排出する作用を妨げない。つまり、ピペッティング操作に支障をきたすことがない。
【００１９】
また、本実施形態に係るピペット用フィルタ１に備わる収容体１１の内部に充填された滅菌フィルタ体１２は、非生物由来の多孔体により形成され、乾熱滅菌法やγ線照射などの公知の滅菌方法により滅菌されたフィルタ体であり、上記したピペッター３とピペット５とを連通関係とするために、目詰まりがなく、気体の通過が可能となっている。しかしながら、ピペット５に吸入された液体やピペッター３の先端部３１に付着している雑菌およびゴミは、この滅菌フィルタ体１２を通過しない。
【００２０】
ここで、本実施形態において「非生物由来」とは、綿やセルロースなどの生物由来原料により形成されているのではなく、金属、セラミック、ガラスなどの非生物由来原料により形成されていることを意味し、また、本実施形態において「多孔体」とは、セラミックなどの内部に微細な孔を有する多孔質体であるか、あるいはガラス繊維などの繊維交絡体であることを意味する。
【００２１】
本実施形態に係る滅菌フィルタ体１２は、このような非生物由来の多孔体により形成されているものであるが、特に、非生物由来の多孔質体である焼結金属、セラミック、多孔質ガラスから選ばれる１以上により形成されているのがより好ましい。本実施形態に係るピペット用フィルタ１の使用時において、滅菌フィルタ体１２からの繊維等の脱落がなく、ピペット５に吸入された液体への不純物混入がよりし難いからである。
【００２２】
さらに、本実施形態に係る滅菌フィルタ体１２は、このような非生物由来の多孔体を複数種用いて形成されたものであっても良く、例えば、焼結金属とセラミックとを重ねて形成された構成などであっても良い。
また、本実施形態に係る滅菌フィルタ体１２の形状については、限定されるものではないが、例えば円筒状、円盤状、板形状、球状などの、フィルタとしての機能を発揮しやすい形状であるのが好ましい。
【００２３】
そして、この滅菌フィルタ体１２は、本実施形態に係るピペット用フィルタ１に備わる収容体１１の内部に充填されるが、単一の滅菌フィルタ体１２が収容体１１の内部に充填されていてもよく、あるいは複数の滅菌フィルタ体１２が収容体１１の内部に充填されていても良い。
例えば、収容体１１の内部形状に合わせた円筒状などの滅菌フィルタ体１２が一つ充填されていても良く、あるいは、円盤状や板形状の滅菌フィルタ体１２が複数積層されて収容体１１の内部に充填されている構成や、収容体１１の内部に球状の滅菌フィルタ体１２が隙間なく多数密に充填されている構成などであっても良い。
【００２４】
なお、本実施形態に係るピペット用フィルタ１に備わる収容体１１の形状および容量についても、上記した滅菌フィルタ体１２を充填できる形状および容量であれば良く、特段限定されない。例えば、滅菌フィルタ体１２の形状に合わせた円筒状、円盤状、板形状などのものが例示される。
また、この収容体１１は、硬質プラスチックなどの非可塑性材料を用いて作製されたものであると、耐久性という点においてより好ましいものとなる。一方、後述するピペッター装着部１５およびピペット装着部１７と同じ材料（例えばエラストマー材料など）を用いて作製されたものであると、ピペット用フィルタ１を全体として同じ材料を用いて作製することができるため、製造の簡便性という点においてより好ましいものとなる。
【００２５】
そして、本実施形態に係るピペット用フィルタ１は、上記した収容体１１と、さらにピペッター装着部１５とピペット装着部１７とを備える。このピペッター装着部１５とピペット装着部１７は、ピペット用フィルタ１において、収容体１１に充填された滅菌フィルタ体１２を介してピペッター３とピペット５とを連通することができる位置に備えられる。例えば、滅菌フィルタ体１２および収容体１１が円盤状や板形状である場合においては、この滅菌フィルタ体１２の主面を挟んだ位置にピペッター装着部１５とピペット装着部１７が備わるのが好ましい。
【００２６】
このように、本実施形態に係るピペット用フィルタ１のピペッター装着部１５をピペッター３の先端部３１に装着し、ピペット装着部１７をピペット５の上端側開口部５１に装着して、ピペッター３とピペット５とが滅菌フィルタ体１２を介して連通関係となることにより、ピペッター３による吸入作用や吐出作用が収容体１１の内部に充填された滅菌フィルタ体１２を介してピペット５に伝わる構成となるため、ピペット５からピペッター３への液体の誤吸入によるピペッター３の破損や、ピペッター３の先端部３１に付着している雑菌やゴミがピペット５に吸入した液体に混入することを防ぐことができる。
そして、収容体１１、ピペッター装着部１５およびピペット装着部１７を備える本実施形態に係るピペット用フィルタ１は、滅菌フィルタ体１２だけでなく、全体として、滅菌フィルタ体１２と同様の方法により滅菌されていても良い。
【００２７】
そして、本実施形態におけるピペッター３には、図１、図２および図４に示すような、主としてガラスピペットに装着して用いられるゴム製ピペッターだけでなく、図３および図５に示すような、主としてピペットチップに装着して用いられるメカニカルピペッター（電動ピペッターなど）も包含される。
【００２８】
また、本実施形態におけるピペット５には、図１、図２および図４に示すような、主として１ｍＬ以上の容量計量および分注を行う場合に用いるガラスピペット（ガラス製のピペット）だけでなく、図３および図５に示すような、主として１ｍＬ未満（μＬオーダー）の容量計量および分注を行う場合に用いるピペットチップも包含される。そして、本実施形態におけるピペット５は、その内部に滅菌フィルタ体１２を備えていないフィルターレスピペットである。なお、このピペット５は、上記した滅菌フィルタ体１２と同様の方法により滅菌された滅菌ピペットであるのが好ましい。
【００２９】
このように、本実施形態では、ガラスピペットやピペットチップなどのピペット５において、個々に滅菌フィルタ体１２を設けるのではなく、滅菌フィルタ体１２をピペット５とは別の独立した部材であるピペット用フィルタ１の収容体１１に充填したことにより、この別部材であるピペット用フィルタ１を多数本のピペット５に繰り返し使用することが可能となる。
また、本実施形態に係るピペット用フィルタ１は、生物由来成分を含まない滅菌フィルタ体１２が充填されていることから生物由来成分のコンタミネーション（ピペット５に吸入した生体試料などへの異種生物由来成分混入）を生じにくく、コスト面および機能面において非常に有用である。
【００３０】
＜ピペットおよびピペッターとの装着について＞
本実施形態に係るピペット用フィルタは、上記したようにピペッターとピペットとの間に装着して用いられるが、以下、本実施形態に係るピペット用フィルタと、ピペッターおよびピペットとの装着について詳細に説明する。
【００３１】
本実施形態に係るピペット用フィルタ１は、上記したように、ピペッター３の先端部３１に装着するピペッター装着部１５と、ピペット５の上端側開口部５１に装着するピペット装着部１７とを備え、例えば、図１から図５に示すように、ピペット用フィルタ１において、円盤状である収容体１１の一方の主面側にピペッター装着部１５が備わり、この主面側と対向するもう一方の主面側に（滅菌フィルタ体１２を挟んで）ピペット装着部１７が備わる構成などが好適例として示される。そして、これら装着部の装着様式については、いずれも着脱可能であり且つピペッター３とピペット５との連通関係を妨げるものでなければ特段限定されるものではない。
【００３２】
なお、この装着様式について、本実施形態においては、図２に示すような、ピペット用フィルタ１において、ピペッター３の先端部３１を装着するピペッター装着部１５の形状が、先端部３１と嵌合する形状であり、且つ、ピペット５の上端側開口部５１を装着するピペット装着部１７の形状が、上端側開口部５１と嵌合する形状であるのがより好ましい。このような構成であることにより、ピペット用フィルタ１とピペッター３およびピペット５との着脱がより容易となるからである。
【００３３】
例えば、ピペッター装着部１５およびピペット装着部１７がゴムなどのエラストマー材料などを用いて作製され、ピペッター３の先端部３１やピペット５の上端側開口部５１に嵌合させるための凸形状や凹形状などである様式などが好適例として示される。なお、ピペッター装着部１５あるいはピペット装着部１７が凸形状や凹形状である場合において、嵌合をよりし易くするために、この凸形状は収容体１１からピペッター３側あるいはピペット５側の方向に向かってテーパー状に縮径している構成であっても良く、また凹形状はピペッター３側あるいはピペット５側から収容体１１の方向に向かってテーパー状に縮径している構成であっても良い。
【００３４】
ここで、本実施形態における「嵌合」とは、ピペッター装着部１５およびピペット装着部１７のいずれについても、外側に嵌める様式（外嵌合）と内側に嵌める様式（内嵌合）の両方を包含する意味である。
このような構成の例としては、図２および図４のような、ピペッター装着部１５がゴム製ピペットの先端部３１に設けられた差し込み孔と同一形状の凸形状であって、この先端部３１に設けられた差し込み孔にこのピペッター装着部１５を差し込んで内嵌合させる構成であり、さらに、ピペット装着部１７がガラスピペットの上端側開口部５１と同一形状の凹形状であって、このピペット装着部１７をこの上端側開口部５１に差し込んで外嵌合させる構成や、図５のような、ピペッター装着部１５がメカニカルピペッターの先端部３１と同一形状の凹形状であって、この先端部３１をこのピペッター装着部１５に差し込んで外嵌合させる構成であり、さらに、ピペット装着部１７がピペットチップの上端側開口部５１の開口と同一形状の凸形状であって、この上端側開口部５１の開口にこのピペット装着部１７を差し込んで内嵌合させる構成などが示される。
【００３５】
なお、本実施形態に係るピペット用フィルタ１においては、ピペッター装着部１５の形状か、あるいは、ピペット装着部１７の形状のいずれか一方が、ピペッター３の先端部３１あるいはピペット５の上端側開口部５１と嵌合する形状である構成であっても良いが、ピペッター３およびピペット５のいずれもがより着脱し易いという点において、上記したような、ピペッター装着部１５およびピペット装着部１７の両方が、ピペッター３の先端部３１およびピペット５の上端側開口部５１と嵌合する形状である構成であるのがより好ましい。
【００３６】
また、本実施形態に係るピペット用フィルタ１は、ピペット５との装着と比較して、ピペッター３との装着の方が強く維持される構成であるのがより好ましい。このような構成であることにより、ピペット５については着脱が非常に容易でありながら、このピペット５の着脱時などにおいてピペッター３とピペット用フィルタ１との装着状態は維持されやすく、このピペッター３とピペット用フィルタ１とを多数本のピペット５に繰り返し使用することがより容易となるからである。
【００３７】
特に、本実施形態に係るピペット用フィルタ１が、ピペット５との装着よりもピペッター３との装着の方が強く維持されている構成とするために、本実施形態に係るピペット用フィルタ１は、図４および図５に示すような、ピペッター装着部１５を備える側に、ピペッター３の先端部３１とピペット用フィルタ１とを掛止することができる掛止部１３を有するのが好ましい。この掛止部１３によって、ピペット用フィルタ１とピペッター３との装着は非常に強く維持されるため、ピペット用フィルタ１からピペット５を脱離するときなどに、ピペッター３とピペット用フィルタ１とが意図せず脱離することを抑制することができ、これらを多数本のピペット５に繰り返し使用することがより容易となる。
【００３８】
ここで、本実施形態において「掛止」とは、引っ掛けて固定することを意味し、したがって本実施形態における「掛止部１３」とは、少なくともピペッター３の先端部３１におけるいずれかの部分に引っ掛けることが可能な部材を意味する。
【００３９】
そして、本実施形態における掛止部１３としては、例えば、図４に示すような、ゴム製ピペッターの先端部３１の末端に備わる鍔状の突起に引っ掛けることが可能なフック状の部材や、図５に示すような、メカニカルピペッターの先端部３１に備わる、ピペットチップを直接装着した場合に装着したピペットチップを脱離させるための部材であるチップインジェクター３３に引っ掛けることが可能なフック状の部材などが示される。特に、本実施形態における掛止部１３がフック状の部材である場合において、このフック状の部材におけるピペッター３を掛止する側の先端部が爪状あるいは針状であると、ピペッター３としてゴム製ピペッターを用いた時などにおいて、ピペット用フィルタ１のピペッター３への装着が極めて強く維持できるため好ましい。
【００４０】
さらに、この掛止部１３は、上記したようなピペッター３の先端部３１に加えて、ピペッター３の先端部３１以外の部位（例えばゴム製ピペッターの排気バルブ部など）にも引っ掛けて固定できる部材であっても良く、さらに、ピペット用フィルタ１のピペッター装着部１５を備える側から起立していたり、接続部材（蝶番など）によりピペット用フィルタ１と接続されていたりしても良く、少なくともピペット用フィルタ１とピペッター３の先端部３１とを掛止することができる形状および様式であれば、他は限定されない。
また、この掛止部１３に用いられる材料も、熱可塑性樹脂、エラストマー材料、金属などが例示されるが、これも限定されるものではない。
【００４１】
なお、本実施形態に係るピペット用フィルタ１では、このようなピペッター装着部１５を備える側に掛止部１３を有する場合において、ピペット装着部１７を備える側にも、ピペット５の上端側開口部５１とピペット用フィルタ１とを掛止することができる部材を有していても良いが、上記したような、ピペット用フィルタ１とピペッター３とを多数本のピペット５に繰り返し使用することをより容易とするためには、ピペッター装着部１５を備える側に掛止部１３を有し、ピペット装着部１７を備える側にはピペット５の上端側開口部５１とピペット用フィルタ１とを掛止する部材を有しない実施形態であるのがより好ましい。
【００４２】
また、本実施形態に係るピペット用フィルタ１は、このピペット用フィルタ１が単体として流通、販売されても良く、さらには、ピペット用フィルタ１とピペッター３とを備え、ピペット用フィルタ１がピペッター３の先端部３１に装着されているフィルタ付ピペッター、あるいは、ピペット用フィルタ１とピペッター３とピペット５とを備え、ピペット用フィルタ１がピペッター３の先端部３１およびピペット５の上端側開口部５１に装着されているピペッティングセットとして流通、販売されても良い。
そして、このピペッティグセットにおいて、ピペット用フィルタ１が装着されるピペット５は、その上端側開口部５１の内部にフィルタが備えられていないガラス製のピペット、つまりフィルターレスガラスピペットであるのがより好ましい。
【００４３】
以上のような実施形態を含む本発明に係るピペット用フィルタは、滅菌フィルタ体が非生物由来の多孔体により形成されているため、ピペットに吸入された液体への生物由来成分のコンタミネーションを防ぐことができる。さらに、本発明に係るピペット用フィルタは、ピペットおよびピペッターのいずれとも着脱可能であり、且つこの着脱が容易であるため、多数本のフィルターレスピペットに繰り返し使用することができる。これは、コスト面においても大きな有用性がある。また、ピペッターからピペットに吸入された液体への雑菌やゴミなどの混入を防ぐこともできる。
【００４４】
上記実施形態は、以下の技術思想を包含するものである。
（１）ピペッターの先端部と、ピペットの上端側開口部との間に装着して用いられるピペット用フィルタであって、非生物由来の多孔体により形成された滅菌フィルタ体が内部に充填された収容体と、前記ピペッターの前記先端部に装着する部位であるピペッター装着部と、前記ピペットの前記上端側開口部に装着する部位であるピペット装着部とを備え、前記ピペッターおよび前記ピペットに対して着脱可能である、ピペット用フィルタ。
（２）前記ピペッター装着部の形状が、前記先端部と嵌合する形状であり、且つ、前記ピペット装着部の形状が、前記上端側開口部と嵌合する形状である、（１）に記載のピペット用フィルタ。
（３）前記ピペッター装着部を備える側に、前記ピペッターの前記先端部と前記ピペット用フィルタとを掛止する掛止部を有する、（１）または（２）に記載のピペット用フィルタ。
（４）前記多孔体が、焼結金属、セラミック、多孔質ガラスから選ばれる１以上である、（１）〜（３）のいずれか１つに記載のピペット用フィルタ。
（５）（１）〜（４）のいずれか１つに記載のピペット用フィルタが前記ピペッターの前記先端部に装着されている、フィルタ付ピペッター。
（６）（１）〜（４）のいずれか１つに記載のピペット用フィルタが前記ピペッターおよび前記ピペットに装着されている、ピペッティングセット。
（７）前記ピペットが、フィルターレスガラスピペットである、（６）に記載のピペッティングセット。
【符号の説明】
【００４５】
１    ピペット用フィルタ
３    ピペッター
５    ピペット
１１  収容体
１２  滅菌フィルタ体
１３  掛止部
１５  ピペッター装着部
１７  ピペット装着部
３１  先端部
３３  チップインジェクター
５１  上端側開口部
【図１】
2020131092.tif 000003
【図２】
2020131092.tif 000004
【図３】
2020131092.tif 000005
【図４】
2020131092.tif 000006
【図５】
2020131092.tif 000007